(57)【要約】【課題】袋体の内部の気圧と外部の気圧が等しくなった場合でも、袋体の内部の空気を抜くことが可能な気体抜き具を提供する。【解決手段】気体の流入出口３０が設けられた袋体２０の、流入出口３０に取り付けられて使用される気体抜き具１０である。一対の開口である第１開口１３及び第２開口１４を両端に備え、第１開口１３から第２開口１３へと気体を通過可能な第１通路１２と、一端が第１通路１２と連通し、他端が流入出口３０と連通可能な第２通路１７と、を備える。第１通路１２の第１開口１３から第２開口１４へと気体を通過させれば、第１通路１２内の気圧は、第２通路１７内及び袋体２０内の気圧よりも低くなる。これにより、袋体２０内の気体は第２通路１７を通過して放出される。したがって、袋体２０内の気圧が外気圧と等しい場合でも、袋体２０内の気体を放出することができる。【選択図】図９
2020056479.tif 000002
【特許請求の範囲】
【請求項１】
気体の流入出口が設けられた袋体の、前記流入出口に取り付けられて使用される気体抜き具であって、
一対の開口である第１開口及び第２開口を両端に備え、前記第１開口から前記第２開口へと気体を通過可能な第１通路と、
一端が前記第１通路と連通し、他端が前記流入出口と連通可能な第２通路と、を備える、気体抜き具。
【請求項２】
前記第１開口は、送風装置に接続されたノズルと接続可能であり、前記第１通路は、前記ノズルから噴射される気体を通過させる、請求項１に記載の気体抜き具。
【請求項３】
前記第１通路の断面積は、前記第１開口から前記第２開口へ向けて徐々に小さくなる、請求項１又は２に記載の気体抜き具。
【請求項４】
前記第２通路の中心軸が、前記第１通路の中心軸に対して垂直に、若しくは、前記第１開口側へ向けて傾斜している、請求項３に記載の気体抜き具。
【請求項５】
前記袋体の前記流入出口には、閉塞時に前記袋体の内部の気体の流出を抑制する逆止弁が設けられており、
前記流入出口に取り付けられた場合に前記逆止弁を開く開放機構を備える、請求項１〜４のいずれか１項に記載の気体抜き具。
【請求項６】
気体の流入出口が設けられた袋体の、前記流出入口から気体を流出させる気体抜き方法であって、
一対の開口を両端に備える第１通路に気体を通過させ、
一端が前記第１通路と連通し他端が前記流入出口と連通する第２通路から、前記袋体内の気体を前記第１通路側へと流出させる、気体抜き方法。
【請求項７】
前記開口の一方に送風装置に接続されたノズルを接続し、前記ノズルから前記気体を噴射させて前記第１通路に前記気体を通過させる、請求項６に記載の気体抜き方法。
【発明の詳細な説明】
【技術分野】
【０００１】
本発明は、袋体の気体の流入出口に取り付けて使用される気体抜き具、及び、袋体からの気体抜き方法に関する。
【背景技術】
【０００２】
浮き輪などの袋体の空気栓には、袋体の内部と外部との間での空気の流出入を防ぐ蓋の他に、空気を入れる際に空気が外部へと漏れることを防ぐ逆止弁が設けられている。この逆止弁は、袋体に空気を入れる際には有効に機能するものの、袋体から空気を抜く際には、逆止弁を開く必要がある。このような空気栓が備えられる気体抜き具として、特許文献１に記載の気体抜き具がある。特許文献１の気体抜き具は、空気栓に差し込まれた場合に逆止弁を開ける弁開放部を備えているため、この気体抜き具を空気栓に差し込めば、袋体の内圧が外圧よりも高い場合には、袋体内の空気は気体抜き具の内部を通過して自然に外部へと流出する。また、袋体の内圧が外圧と釣り合った場合には、袋体を抑えたり畳んだりすることで、袋体内の空気を外部へと放出することができる。
【先行技術文献】
【特許文献】
【０００３】
【特許文献１】特開２０１１−２４１８８９号公報
【発明の概要】
【発明が解決しようとする課題】
【０００４】
特許文献１に記載の気体抜き具では、浮き輪などの袋体の内圧が高い場合には、袋体の内部の空気が自然に抜けるが、袋体の内圧と外圧がつりあえば空気は自然に抜けていかないため、人が袋体を手で押したり袋体を折り畳んだりする必要が生ずる。
【０００５】
本発明は、上記課題を解決するためになされたものであり、その主たる目的は、袋体の内部の気圧と外部の気圧が等しくなった場合でも、袋体の内部の気体を抜くことが可能な気体抜き具及び気体抜き方法を提供することにある。
【課題を解決するための手段】
【０００６】
第１の構成は、気体の流入出口が設けられた袋体の、前記流入出口に取り付けられて使用される気体抜き具であって、一対の開口である第１開口及び第２開口を両端に備え、第１開口から第２開口へと気体を通過可能な第１通路と、一端が第１通路と連通し、他端が流入出口と連通可能な第２通路と、を備える。
【０００７】
上記構成では、第１通路の第１開口から第２開口へと気体を通過させれば、第１通路内の気圧は、第２通路内及び袋体内の気圧よりも低くなる。これにより、第２通路を袋体の流出入口に連通させておけば、袋体内の気体は第２通路を通過して第１通路へと流入して第１通路内を通過する気体と合流し、第２開口から外部へと放出される。したがって、袋体内の気圧が外気圧と等しい場合でも、袋体を抑えたり折りたたんだりすることなく袋体内の気体を放出することができる。
【０００８】
また、袋体を膨らませて使用することが想定される場所には、その袋体へ気体を入れる機材が用意されている場合は多いが、袋体内の気体を吸引する機材は用意されていないのが一般的である。本構成の気体抜き具では、第１通路に気体を通過させれば袋体の中の気体を抜くことができるため、袋体の使用環境に適した気体抜き具を提供することができる。
【０００９】
第２の構成は、第１の構成に加えて、第１開口は、送風装置に接続されたノズルと接続可能であり、第１通路は、ノズルから噴射される気体を通過させるものとしている。
【００１０】
ノズルを備えた送風装置は、袋体へ気体を入れて使用する場所に設置してある場合も多い。第２の構成の気体抜き具では、第１開口に接続されたノズルを接続可能としているため、袋体の使用環境に適した気体抜き具を提供することができる。
【００１１】
第３の構成は、第１又は第２の構成に加えて。第１通路の断面積は、前記第１開口から前記第２開口へ向けて徐々に小さくしている。
【００１２】
第１通路の断面積が徐々に小さくなれば、気体が第１通路内を通過する際に流速が増加し、それに伴い第１通路内の気圧がより低下する。したがって、第３の構成により、袋体からの気体の流出の効率を向上させることができる。
【００１３】
第４の構成は、第３の構成に加えて、第２通路の中心軸が、第１通路の中心軸に対して垂直に、若しくは、第１開口側へ向けて傾斜している。
【００１４】
第４の構成では、第１開口側から第２開口側へと気体を流した場合に、第２通路への気体の流入を抑制することができるため、より効率よく、袋体内の気体を抜くことができる。
【００１５】
第５の構成では、第１〜４のいずれかの構成に加えて、袋体の流入出口には、閉塞時に袋体の内部の気体の流出を抑制する逆止弁が設けられており、流入出口に取り付けられた場合に逆止弁を開く開放機構を備えている。
【００１６】
第５の構成では、流入出口が気体の流出を抑制する逆止弁を備えていても、その逆止弁３５を開放して気体を流出させることができる。
【００１７】
第６の構成は、気体の流入出口が設けられた袋体の、流出入口から気体を流出させる気体抜き方法であって、一対の開口を両端に備える第１通路に気体を通過させ、一端が第１通路と連通し他端が流入出口と連通する第２通路から、袋体内の気体を第１通路側へと流出させるものである。
【００１８】
この第６の構成では、第１の構成と同等の効果を得ることができる。
【００１９】
第７の構成は、第６の構成に加えて、開口の一方に送風装置に接続されたノズルを接続し、ノズルから気体を噴射させて第１通路に前記気体を通過させるものである。
【００２０】
この第７の構成では、第２の構成と同等の効果を得ることができる。
【図面の簡単な説明】
【００２１】
【図１】第１実施形態に係る気体抜き具の斜視図である。
【図２】第１実施形態に係る気体抜き具の正面図である。
【図３】第１実施形態に係る気体抜き具の背面図である。
【図４】第１実施形態に係る気体抜き具の底面図である。
【図５】第１実施形態に係る気体抜き具の右側面図である。
【図６】第１実施形態に係る気体抜き具のＡＡ断面図である。
【図７】空気栓の構造を示す図である。
【図８】第１実施形態に係る気体抜き具を空気栓に差し込んだ状態を示す図である。
【図９】実施形態に係る気体抜き具を空気栓に差し込み、空気を流し込んだ場合の空気の流れを示す図である。
【図１０】第２実施形態に係る気体入れ具を空気栓に差し込み、空気を流し込んだ場合の空気の流れを示す図である。
【発明を実施するための形態】
【００２２】
以下、各実施形態を図面に基づいて説明する。なお、以下の各実施形態相互において、互いに同一もしくは均等である部分には、図中、同一符号を付しており、同一符号の部分についてはその説明を援用する。
【００２３】
＜第１実施形態＞
本実施形態に係る気体抜き具１０は、袋体に設けられた気体の流出入口に取り付けられて使用されるものである。なお、本実施形態では、袋体内入っている空気を抜く用途について説明するため、気体という文言の代わりに空気という文言を使用している。
【００２４】
本実施形態に係る気体抜き具１０について図１〜６を参照して説明する。気体抜き具１０は、円錐台筒形の第１筒部１１を備えている。この第１筒部１１について、内部の円錐台形の空間を第１通路１２と称し、径が大きいほうの開口を第１開口１３と称し、径が小さいほうの開口を第２開口１４と称する。この第１筒部１１の側面の厚みは略均一に形成されている。
【００２５】
第１筒部１１の側面には、円形の孔である連通孔１５が形成されており、この連通孔１５には、円筒形の第２筒部１６の一方の端部が接続されている。すなわち、第１筒部１１と第２筒部１６とは連通孔１５を共有しており、連通孔１５により、第１通路１２と、第２筒部１６の内部の空間である第２通路１７とが連通している。
【００２６】
第２筒部１６の側面の厚みは第１筒部１１と同様に略均一に形成されており、且つ、第１筒部１１よりも厚い。第２筒部１６及び第２通路１７の中心軸線は、第１筒部１１及び第１通路１２の中心軸線と直交している。また、第２筒部１６は、第１筒部１１の中心軸方向において、第２開口１４側に寄った位置に接続されている。なお、第２筒部１６の連通孔１５側の反対側の開口を第３開口１８と称する。
【００２７】
第２筒部１６において第３開口１８側の端部には、第２筒部１６の中心軸線に平行に、第１筒部１１側の反対側へ向かって伸びる円筒形の一本の突起１９が設けられている。この突起１９の直径は第２筒部１６の側面の厚みよりも小さい。なお、以上説明した第１筒部１１、第２筒部１６及び突起１９は、硬質の樹脂により一体成型されている。  
【００２８】
以上のように構成される気体抜き具１０の使用方法について図７〜９を参照して説明する。気体抜き具１０は、主に、浮輪、ビーチボール、家庭用プール等の、使用前に空気を入れ使用後に空気を抜く必要がある袋体２０の空気栓３０に取り付けられて使用される。この空気栓３０は、空気の流入出が行われる部材であるため、流入出部と称することができる。空気栓３０は、図７に示すように、一端が袋体２０の孔に取り付けられ、袋体２０の内部空間と外部とを連通する筒状の吸排気筒３１を備えている。この吸排気筒３１について、内部の空間を吸排気通路３２と称し、袋体２０側の開口を内部開口３３と称し、内部開口３３とは反対側の開口を外部開口３４と称する。
【００２９】
内部開口３３には、外部開口３４側から内部開口３３側へと空気が通過する場合に変形して開く逆止弁３５が設けられている。この逆止弁３５は、外部開口３４側から内部開口３３側へと空気が通過しない場合には内部開口３３を閉塞する。外部開口３４には、取り付けられた場合に外部開口３４を閉塞して、袋体２０の内部空間と外部の間での空気の流出入を抑止する蓋３６が設けられている。なお、図７では、逆止弁３５及び蓋３６が開放した状態を示している。
【００３０】
以上のように構成される空気栓３０に対して、図８に示すように、蓋３６が外部開口３４から外された状態で、気体抜き具１０の第２筒部１６の第３開口１８側が、外部開口３４から吸排気通路３２へと差し込まれる。このとき、第２筒部１６に設けられた突起１９が逆止弁３５に当接して逆止弁３５を袋体２０の内部側へと押し込み、逆止弁３５を開放する。こうすることで、袋体２０の内部から、空気栓３０の吸排気通路３２を通過して、第３開口１８から第２通路１７へと至る気体の通路が形成される。なお、突起１９は逆止弁３５を開く機能を有しているため、開放機構と称することができる。
【００３１】
空気栓３０に気体抜き具１０が取り付けられた後、図９に示すように、気体抜き具１０の第１筒部１１の第１開口１３から第１通路１２内へ、円筒形のノズル４０の先端が差し込まれる。このノズル４０は、図示しない送風装置であるコンプレッサに接続されており、コンプレッサから供給された空気がノズル４０の先端から噴出する。なお、第１開口１３の内径については、接続が想定されるノズル４０の外径よりも大きくしてある。すなわち、第１開口１３をノズル４０と接続可能としている。また、第１通路１２の径については、連通孔１５の位置においてノズル４０の外径よりも小さくなるようにしている。
【００３２】
気体抜き具１０にノズル４０の先端が差し込まれた後、コンプレッサからノズル４０へ空気が供給されれば、ノズル４０の先端から第１通路１２内へ所定の流速の空気が噴射される。この空気の流れについては、図９において矢印で示している。このとき、第１通路１２内において第１開口１３側から第２開口１４側へと空気が流れるため、ベルヌーイの法則により、第１通路１１内の気圧は第２通路１７内の気圧よりも低くなる。また、第１通路１２が円錐台形であるため、第１通路１２内において、第２開口１４側へ向かうほど気圧が低くなる。これにより、袋体２０内の空気は、空気栓３０の内部開口３３から吸排気通路３２を通過し、外部開口３４から第２通路１７へ流入し、連通孔１５を通過して第１通路１２へと流れ込む。そして、ノズル４０から噴出した空気と合流しつつ、第１通路１２を通過して、第２開口１４から外部へと放出される。袋体２０の内圧が外部の気圧と等しくなったり、外部の気圧よりも低くなったりした場合でも、第１通路１２内の気圧が袋体２０内の気圧よりも低い状態であれば、袋体２０内の空気の放出が継続される。
【００３３】
以上説明した本実施形態に係る気体抜き具１０が奏する効果について、気体抜き具１０の各構成に対応させて説明する。
【００３４】
・第１通路１２に気流を通過させることにより第１通路１２内の気圧を低下させ、袋体２０内の空気が第１通路へと流入するようにしているため、袋体２０内の気圧が外気圧と等しい場合や外気圧よりも低い場合でも、袋体２０を抑えたり折りたたんだりすることなく袋体２０内の空気を抜くことができる。
【００３５】
・袋体２０を膨らませて使用することが想定される場所には、その袋体２０へ空気を入れる機材が用意されている場合は多いが、袋体２０内の空気を吸引する機材は用意されていないのが一般的である。本実施形態に係る気体抜き具１０では、第１通路１２に空気を通過させれば袋体２０内の空気を抜くことができるため、袋体２０の使用環境に適した気体抜き具１０を提供することができる。
【００３６】
・第１筒部１１を円錐台筒形とし、第１通路１２の断面積を第１開口１３から第２開口１４へ向けて小さくなるようにしているため、気体が第１通路１２内を通過する際に流速が増加し、それに伴い第１通路１２内の気圧がより低下する。したがって、袋体２０からの空気の流出の効率を向上させることができる。
【００３７】
・第２筒部１６及び第２通路１７の中心軸線が、第１筒部１１及び第１通路１２の中心軸線と直交するように、第２筒部１６を第１筒部１１に接続しているため、第１開口１３側から第２開口１４側へと空気を流した場合に、第２筒部１６への空気の流入を抑制することができる。したがって、より効率よく袋体２０内の空気を抜くことができる。
【００３８】
・第２筒部１６の先に突起１９を設けているため、空気栓３０が空気の流出を抑制する逆止弁３５を備えていても、その逆止弁３５を開放して空気を流出させることができる。
【００３９】
＜第２実施形態＞
本実施形態に係る気体入れ具１００は、第１実施形態に係る気体抜き具１０と構造が共通しており、使用方法が異なっている。また、使用対象である袋体２０は、第１実施形態と同様に空気栓３０を備えるものである。したがって、気体入れ具１００の各部名称の説明及び空気栓３０の各部名称の説明は、省略する。
【００４０】
本実施形態に係る気体入れ具１００は、図１０に示すように、第１筒部１１の第２開口１４側が、空気栓３０の外部開口３４から吸排気通路３２へと差し込まれて使用される。図示しない送風装置であるコンプレッサに接続されたノズル４０の先端は、第１筒部１１の第１開口１３側から第１通路１２内へと差し込まれ、ノズル４０の先端から第１通路１２内へ空気が噴射される。このとき、ノズル４０から噴射された空気が第１通路１２を通過するため、第１通路１２の気圧は第２通路１７の気圧よりも低くなる。これにより、外部の空気が第３開口１８から第２通路１７へと流入し、連通孔１５を通過して第１通路１２内へと流入する。そして、ノズル４０から噴射されて第１通路１２を通過する空気と、第３開口１８から第２通路１７内へと流入した空気とが合流し、第２開口１４から空気栓３０へと流入する。このとき、流入した空気により空気栓３０の逆止弁３５が押し下げられて内側開口３３が開放され、袋体２０内へと空気が供給される。
【００４１】
なお、このように使用される気体入れ具１００について、次のように表現することができる。
【００４２】
気体の流入出口３０が設けられた袋体２０の、流入出口３０に取り付けられて使用される気体入れ具１００であって、一対の開口である第１開口１３及び第２開口１４を両端に備え、前記第１開口１３から前記第２開口１４へと気体を通過可能であり、且つ、前記第２開口１４側が前記流入出口３０に接続可能な第１通路１２と、一端が前記第１通路１２と連通し、他端に外気が流入可能な第３開口１８を有する第２通路１７と、を備える、気体入れ具１００。
【００４３】
上記構成により、本実施形態に係る気体入れ具１００は、以下の効果を奏する。
【００４４】
・ノズル４０の先端から噴射された空気が第１通路１２を通過する過程で、第２通路１７から流入した空気と合流するため、第２開口１４から袋体２０内へと噴き出る空気の時間当たりの量が増加する。したがって、袋体２０へ空気を供給する際に、より短時間で袋体２０内へ空気を充填することができる。
【００４５】
・袋体２０へ空気を供給する際に、袋体２０へ十分な量の空気が充填された後も空気を入れ続ければ、袋体２０内の気圧が過剰に高くなり、袋体２０が膨張したり、破裂したりするおそれがある。この点、本実施形態に係る気体入れ具１００では、袋体２０内の気圧が高まった場合に、ノズル４０から噴射された空気が連通孔１５及び第２通路１７を通過して第３開口１８から外部へ放出される。したがって、袋体２０内の気圧の過剰な上昇を抑制することができる。
【００４６】
＜変形例＞
・各実施形態では、第１筒部１１の形状を円錐台筒形とし、第２筒部１６の形状を円筒形としたが、第１筒部１１及び第２筒部１６の形状はこれに限られない。第１筒部１１を円筒形、多角台筒、又は多角筒としてもよし、第２筒部１６を円錐台筒形、多角台筒、又は多角筒としてもよい。また、第１筒部１１内の第１通路１２についても、第１筒部１１の外形と相似形の通路としてもよく、相似形ではない形状の通路であってもよいし、湾曲した形状の通路であってもよい。第２通路１７についても同様である。
【００４７】
・各実施形態では、第１筒部１１、第１通路１２、第２筒部１６及び第２通路１７の中心軸線が直線状であるが、各構成について、中心軸線が直線状とならない形状に変更してもよい。
【００４８】
・各実施形態では、第２筒部１６について、第１筒部１１の第２開口１４側に寄った位置に接続するものとしたが、第１開口１３と第２開口１４の中間に接続するものとしてもよいし、第１開口１３側に寄った位置に接続するものとしてもよい。
【００４９】
・第１実施形態では、第２筒部１６に突起１９を設け、第２筒部１６を吸排気通路３２に差し込んだ場合に、この突起１９により逆止弁３５が開かれるものとしたが、逆止弁３５を開くために用いる構造は、これに限られない。例えば、第２筒部１６を吸排気通路３２に差し込んだ場合に、第２筒部１６の先端が逆止弁３５の位置よりも袋体２０の内側に位置するように、第２筒部１６の長さや外形を決定してもよい。この場合には、第２筒部１６が逆止弁を開く機能を有しているため、第２筒部１６を開放機構と称することができる。また、第２筒部１６に突起１９を設ける場合においても、突起１９の形状は実施形態に限られることはない。なお、第２実施形態では、空気を入れる際には流入する空気により逆止弁３５が開放されるため開放機構は特に必要としないが、第２開口１４側の端部に解放機構を設ければ、その開口機構により逆止弁３５が開放され、袋体２０へ空気を入れる際の抵抗を低下させることができる。
【００５０】
・第１実施形態では、第１筒部１１及び第１通路１２の中心軸線と、第２筒部１６及び第２通路１７の中心軸線が直交するものとしたが、第１筒部１１及び第１通路１２の中心軸線と、第２筒部１６及び第２通路１７の中心軸線は直交しなくてもよい。ただし、第２筒部１６及び第２通路１７の中心軸線が第２開口１４側へ傾斜していれば、第１開口１３側から第１通路１２へ差し込んだノズル４０の先端から噴き出した空気の一部が第２通路１６へ流入し、袋体２０内からの空気の流出を抑制するため、第２筒部１６及び第２通路１７の中心軸線は、第１開口１３側へ傾斜させるのが好ましい。なお、第２筒部１６及び第２通路１７の中心軸線が第２開口１４側へ傾斜していたとしても、その傾斜角及びノズル４０から噴出する空気の流速によっては、ノズル４０から噴き出た空気の第２通路１７への流入量は小さくなるため、第２筒部１６及び第２通路１７の中心軸線を第２開口１４側へ傾斜させてもよい。第２実施形態についても同様である。
【００５１】
・実施形態において、気体抜き具１０及び気体入れ具１００の、第１通路１２、第２通路１７に弁などを設けないものとしている。この点、第１通路１２は気体抜き具１０の用途及び気体入れ具１００の用途のいずれにおいても気体の流れる方向は同じであるため、逆止弁等の弁を設けてもよい。また、第２通路１７については、第２実施形態における袋体２０内の気圧の過剰な上昇を抑制するという効果を必要としない場合や、第１実施形態に係る用途に限定して使用する場合等において、逆止弁を設けてもよい。
【００５２】
・第１実施形態では、第２筒部１７を空気栓３０の吸排気通路３２に挿入して接続するものとしているが、吸排気筒３１を第２通路１８に挿入するものとしてもよい。同様に、ノズル４０に第１筒部１１を挿入して接続するものとしてもよい。第２実施形態についても、吸排気筒３１を第１通路１２に挿入して使用するものとしてもよい。
【００５３】
・第１実施形態では、気体抜き具１０が取り付けられる空気栓３０について、逆止弁３５が設けられるものとしたが、逆止弁を備えない空気栓が設けられた袋体についても同様に使用することができる。また、袋体からの空気の流出を許容し、袋体への空気の流入を抑制する逆止弁が設けられている袋体に対しても、同様に使用することができる。
【００５４】
・第１実施形態では、気体抜き具１０を使用する対象として、主に、浮輪、ビーチボール、家庭用プール等の、使用前に空気を入れ使用後に空気を抜く必要がある袋体２０を示したが、使用する対象はこれらに限られない。使用する対象は、少なくとも、内部の空気を抜く必要がある袋体２０であればよい。第２実施形態についても同様である。
【００５５】
・第１実施形態では、気体抜き具１０を硬質の樹脂で一体成型するものとしたが、気体抜き具１０の材料はこれに限られず、金属などで形成してもよい。また、第１筒部１１と第２筒部１６とを着脱可能としてもよい。第２実施形態についても同様である。
【００５６】
・第１実施形態では、コンプレッサに接続されたノズル４０から気体抜き具１０へと空気を流入させるものとしたが、ノズル４０へ空気を供給する装置である送風装置はコンプレッサに限られず、そのほかの送風装置を用いてもよい。また、手動のポンプの先端等を第１開口１３に差し込んで、その手動のポンプにより空気を送り込むものとしてもよい。第１筒部１１の各部の形状については、空気を入れる機材の形状に対応した形状に適宜変更してもよい。第２実施形態についても同様である。
【００５７】
・第１実施形態では、気体抜き具１０を用いて空気が充填された袋体２０から空気を抜く用途を示しているが、空気以外の気体が充填された袋体２０から内部の気体を抜くことに使用することもできる。なお、コンプレッサからノズル４０へ供給して第１通路１２を通過させる気体については、袋体２０内の気体と同じ気体であってもよいし、異なる気体であってもよい。第２実施形態については、第３開口１８から空気が流入するため、袋体２０へは空気の供給を前提とするのが好ましいが、空気が混入することが許容されるのならば、空気以外の気体の供給にも用いることができる。また、第２筒部１６に、袋体２０内へと供給すべき気体と同じ気体が封入された別の袋体等を接続し、コンプレッサ等から袋体２０内へと供給すべき気体を供給するものとしてもよい。
【符号の説明】
【００５８】
１０…気体抜き具、１１…第１筒部、１２…第１通路、１３…第１開口、１４…第２開口、１５…連通孔、１６…第２筒部、１７…第２通路、１８…第３開口、１９…突起、２０…袋体、３０…空気栓、３５…逆止弁、１００気体入れ具。
【図１】
2020056479.tif 000003
【図２】
2020056479.tif 000004
【図３】
2020056479.tif 000005
【図４】
2020056479.tif 000006
【図５】
2020056479.tif 000007
【図６】
2020056479.tif 000008
【図７】
2020056479.tif 000009
【図８】
2020056479.tif 000010
【図９】
2020056479.tif 000011
【図１０】
2020056479.tif 000012